(57)【特許請求の範囲】
【請求項１】
横方向に陽極板を搬送するための横移動装置と、
該横移動装置により搬送されている陽極板に対して整形及び厚さの測定を行うための板面整形プレス機及び厚さ測定装置と、
前記横移動装置の第１側に配置され、且つ、前記横方向にて前記板面整形プレス機及び厚さ測定装置の下流側に位置している、前記陽極板に対して耳のボトムミーリングを行うための耳のボトムミーリング装置と、
前記横移動装置の第２側に配置され、且つ、前記横方向にて前記板面整形プレス機及び厚さ測定装置の下流側に位置している、前記陽極板に対して耳のサイドミーリングを行うための耳のサイドミーリング装置と
を含むことを特徴とする電解用陽極板の加工ユニット。
【請求項２】
前記耳のサイドミーリング装置と耳のボトムミーリング装置とは、前記横方向に直交する方向にて対向していることを特徴とする請求項１に記載の電解用陽極板の加工ユニット。
【請求項３】
互いに直列している、陽極板を受取るための受板装置と受板チェーンコンベヤー、板分け、耳の垂直矯正及び重量測定装置とを更に含み、前記受板装置と受板チェーンコンベヤー、板分け、耳の垂直矯正及び重量測定装置とは前記横方向にて前記板面整形プレス機及び厚さ測定装置の上流側に設けられていることを特徴とする請求項１又は２に記載の電解用陽極板の加工ユニット。
【請求項４】
前記受板装置と、受板チェーンコンベヤー、板分け、耳の垂直矯正及び重量測定装置とは前記横移動装置の上流側の端部に近接し、且つ、前記横移動装置の第２側に配置されていることを特徴とする請求項３に記載の電解用陽極板の加工ユニット。
【請求項５】
前記横方向にて前記耳のボトムミーリング装置と耳のサイドミーリング装置との下流側に配置されている、廃板を除去するための廃板除去装置を更に含むことを特徴とする請求項１〜４の何れかに記載の電解用陽極板の加工ユニット。
【請求項６】
前記廃板除去装置は前記横移動装置の下流側の端部に近接し、且つ、前記横移動装置の第２側に位置していることを特徴とする請求項５に記載の電解用陽極板の加工ユニット。
【請求項７】
前記横方向に直交する方向にて前記耳のボトムミーリング装置の下流に順次に配置されている斜めリフトアップ装置と、板配列用チェーンコンベヤー及び板配列用フレームとを更に含むことを特徴とする請求項１〜６の何れかに記載の電解用陽極板の加工ユニット。
【請求項８】
横移動装置により横方向に陽極板を搬送するステップと、
横方向に搬送されている前記陽極板に対して整形及び厚さの測定を行うステップと、
整形及び厚さの測定が行われた後の陽極板に対して耳のサイドミーリングを行う必要があるか否かを判断するステップと、
耳のサイドミーリングを行う必要が無いと判断した場合、整形及び厚さの測定が行われた後の陽極板に対して耳のボトムミーリングを行うステップと、
耳のサイドミーリングを行う必要があると判断した場合、整形及び厚さの測定が行われた後の陽極板に対して先に耳のサイドミーリングを行い、その後、耳のボトムミーリングを行うステップと
を含むことを特徴とする電解用陽極板の加工方法。
【請求項９】
整形及び厚さの測定が行われた後の陽極板に対して耳のサイドミーリングを行う必要があるか否かを判断する前に、整形及び厚さの測定が行われた後の陽極板が合格であるか否かを判断し、合格ではないと判断した場合、合格ではない陽極板を除去することを更に含むことを特徴とする請求項８に記載の電解用陽極板の加工方法。
【請求項１０】
耳のボトムミーリングが行われた後の陽極板に対して斜めリフトアップ装置と板配列用チェーンコンベヤー及び板配列用フレームとにより板の配列を行うことを更に含むことを特徴とする請求項９に記載の電解用陽極板の加工方法。
【発明の詳細な説明】
【技術分野】
【０００１】
本発明は、銅電解の技術分野に関し、特に電解用陽極板の加工ユニット及び加工方法に関する。
【背景技術】
【０００２】
通常、電解用陽極が鋳造により生産され、陽極板の変形が大きく、寸法の誤差も大きい。生産中においては、陽極板の懸垂性を向上し、ショート及び接触抵抗を低減して、電力の効率を向上するために、陽極ユニットを採用して陽極板に対して加工を行う必要がある。陽極ユニットは、通常、陽極板の受取り、陽極板を１枚ずつ分けるための板分け、耳の垂直矯正、重量の測定、板面の平プレス、厚さの測定、不合格陽極板の廃板の除去、耳のサイドミーリング、耳のボトムミーリング、等距離配列などの装置を含む。
【０００３】
従来の陽極ユニットにおいては、耳のサイドミーリング装置と耳のボトムミーリング装置とが互いに直列され、耳のサイドミーリングにおいて陽極に対する耳のミーリングの面積が大きく、耳のミーリングの送り量を小さくする必要があり、耳のミーリングの厚さが大きい場合、耳のサイドミーリングを複数回行う必要があるため、耳のサイドミーリングに時間がかかり、陽極板の加工ユニットの生産能力が落ち込む事になる。
【先行技術文献】
【特許文献】
【０００４】
【特許文献１】中国特許公開第１０２４２４９８１号明細書
【発明の概要】
【０００５】
本発明は、従来の技術において存在する技術課題の一つを解決することを目的とする。
【０００６】
本発明の第１態様に係る電解用陽極板の加工ユニットは、横方向に陽極板を搬送するための横移動装置と、前記横移動装置により搬送されている陽極板に対して整形及び厚さの測定を行うための板面整形プレス機及び厚さ測定装置と、前記横移動装置の第１側に配置され、且つ、前記横方向にて前記板面整形プレス機及び厚さ測定装置の下流側に位置している、前記陽極板に対して耳のボトムミーリングを行うための耳のボトムミーリング装置と、前記横移動装置の第２側に配置され、且つ、前記横方向にて前記板面整形プレス機及び厚さ測定装置の下流側に位置している、前記陽極板に対して耳のサイドミーリングを行うための耳のサイドミーリング装置とを含む。
【０００７】
本発明の電解用陽極板の加工ユニットによると、耳のサイドミーリング装置及び耳のボトムミーリング装置はそれぞれ横移動装置の第１側及び第２側に位置している。板面整形プレス機及び厚さ測定装置により整形及び厚さの測定が行われた後の陽極板は、耳のサイドミーリングを行う必要がない場合には、直接に耳のボトムミーリング装置に搬送され耳のボトムミーリングが行われるが、耳のサイドミーリングを行う必要がある場合には、耳のサイドミーリング装置に搬送され耳のサイドミーリングが行われ、耳のサイドミーリングが完成した後に耳のボトムミーリング装置に搬送され耳のボトムミーリングが行われる。言い換えれば、耳のサイドミーリング装置と耳のボトムミーリング装置とが加工ユニットにおいて並列して、互いに独立に操作することが可能であり、時間がかかる耳のサイドミーリングの操作が耳のボトムミーリングの操作及び陽極加工ユニットシステムの作業に影響を及ぼさないので、陽極ユニットの加工効率が向上される。
【０００８】
本発明の一つの実施形態によると、前記耳のサイドミーリング装置と耳のボトムミーリング装置とは、前記横方向に直交する方向にて対向している。
【０００９】
本発明の一つの実施形態によると、互いに直列している、陽極板を受取るための受板装置と受板チェーンコンベヤー、板分け、耳の垂直矯正及び重量測定装置とを更に含み、前記受板装置と受板チェーンコンベヤー、板分け、耳の垂直矯正及び重量測定装置とは前記横方向にて前記板面整形プレス機及び厚さ測定装置の上流側に設けられている。
【００１０】
本発明の一つの実施形態によると、前記受板装置と、受板チェーンコンベヤー、板分け、耳の垂直矯正及び重量測定装置とは、前記横移動装置の上流側の端部に近接し、且つ、前記横移動装置の第２側に配置されている。
【００１１】
本発明の一つの実施形態によると、前記横方向にて前記耳のボトムミーリング装置及び耳のサイドミーリング装置の下流側に配置されている、廃板を除去するための廃板除去装置を更に含む。
【００１２】
本発明の一つの実施形態によると、前記廃板除去装置は、前記横移動装置の下流側の端部に近接し、且つ、前記横移動装置の第２側に位置している。
【００１３】
本発明の一つの実施形態によると、前記横方向に直交する方向にて前記耳のボトムミーリング装置の下流に順次に配置されている斜めリフトアップ装置と板配列用チェーンコンベヤー及び板配列用フレームとを更に含む。
【００１４】
本発明の第２態様に係る電解用陽極板の加工方法は、横移動装置により横方向に陽極板を搬送するステップと、横方向で搬送されている前記陽極板に対して整形及び厚さの測定を行うステップと、整形及び厚さの測定が行われた後の陽極板に対して耳のサイドミーリングを行う必要があるか否かを判断するステップと、耳のサイドミーリングを行う必要がないと判断した場合、整形及び厚さの測定が行われた後の陽極板に対して耳のボトムミーリングを行うステップと、耳のサイドミーリングを行う必要があると判断した場合、整形及び厚さの測定が行われた後の陽極板に対して先に耳のサイドミーリングを行い、その後、耳のボトムミーリングを行うステップとを含む。
【００１５】
本発明の実施形態における電解用陽極板の加工方法により、作業効率を向上させることができる。
【００１６】
本発明の一つの実施形態によると、電解用陽極板の加工方法は、整形及び厚さの測定が行われた後の陽極板に対して耳のサイドミーリングを行う必要があるか否かを判断する前に、整形及び厚さの測定が行われた後の陽極板が合格であるか否かを判断し、合格ではないと判断した場合、合格ではない陽極板を除去することをさらに含む。
【００１７】
本発明の一つの実施形態によると、耳のボトムミーリングが行われた後の陽極板に対して斜めリフトアップ装置と板配列用チェーンコンベヤー及び板配列用フレームとにより板の配列を行うことを更に含む。
【００１８】
本発明の付加の方面及びメリットが下記の説明において部分的に表れられ、一部が下記の説明からより明らかとなり、或は本発明の実行より了解できる。
【００１９】
本発明のこれらのおよび他の態様および利点は、添付図面を参照してなされる以下の説明から明らかになり、より容易に認識される。
【図面の簡単な説明】
【００２０】
【図１】本発明の一実施形態による電解用陽極板の加工ユニットを示す構造概略図である。
【図２】本発明の一実施形態による電解用陽極板の加工方法を示すフローチャートである。
【発明を実施するための形態】
【００２１】
以下、本発明の実施形態を詳細に説明する。前記実施形態の例示が図面において示され、その中で、初めから終わりまで、同様又は類似の符号は、同様又は類似の素子、或は同様又は類似の機能を有する素子を示す。以下、図面を参照しながら説明する実施形態が例示性のものであり、本発明を一般に理解するために用いられる。実施形態は、本発明を制限するように解釈されない。
【００２２】
本発明の説明において、本明細書において用いられる用語例えば「中心」、「縦方向」、「横方向」、「長さ」、「幅」、「厚さ」、「上」、「下」、「前」、「後」、「左」、「右」、「鉛直」、「水平」、「頂」、「底」、「内」、「外」、「上流」、「下流」等により示される方位又は位置関係は、図面に示された方位又は位置関係であり、本発明の説明を単純化するために用いられるだけであり、参照される装置または要素が特定の方向を有しなければならないこと、又は特定の方位で構造され、操作されなければならないことを意味するものではないため、本発明を制限するように理解されない。
【００２３】
図１は、本発明の実施形態による電解用陽極板の加工ユニットの構造概略図であり、図１における中空の矢印に示されている方向が陽極板の搬送方向である。本発明の実施形態による電解用陽極板は、横移動装置３と、板面整形プレス機及び厚さ測定装置４と、耳のボトムミーリング装置６と、耳のサイドミーリング装置５とを含む。
【００２４】
具体的に言うと、横移動装置３は横方向（例えば、図１における左右方向）に陽極板を上流側から下流側に搬送するように陽極板を搬送することができ、搬送の過程において電解用陽極板の加工ユニットにおける各装置により陽極板に対して相応的な加工を行うことができる。
【００２５】
図１に示すように、上記のように、本発明の実施形態における横方向は、例えば、図１における左右方向であり、横移動装置３は図１において右から左への方向に沿って陽極板を搬送することができ、その中で、図１における右側が上流側であり、左側が下流側である。
【００２６】
板面整形プレス機及び厚さ測定装置４は、横移動装置３において搬送されている陽極板に対して整形及び厚さの測定を行うことができる。言い換えれば、横移動装置３に置かれている陽極板が板面整形プレス機及び厚さ測定装置４に搬送された時に、板面整形プレス機及び厚さ測定装置４は陽極板に対して整形及び厚さの測定を行うことができる。
【００２７】
耳のボトムミーリング装置６は陽極板に対して耳のボトムミーリングを行うことができる。耳のボトムミーリング装置６は横移動装置３の第１側（例えば、図１における横移動装置３の上側）に配置され、且つ、横方向において板面整形プレス機及び厚さ測定装置４の下流側に位置している。言い換えれば、耳のボトムミーリング装置６は、板面整形プレス機及び厚さ測定装置４の下流に位置し、且つ、横移動装置３の第１側に配置されており、板面整形プレス機及び厚さ測定装置４により処理された陽極板に対して耳のボトムミーリングを行う。
【００２８】
耳のサイドミーリング装置５は陽極板に対して耳のサイドミーリングを行うことができる。耳のサイドミーリング装置５は横移動装置３の第２側（例えば、図１における横移動装置３の下側）に配置され、且つ、横方向において板面整形プレス機及び厚さ測定装置４の下流側に位置している。言い換えれば、耳のサイドミーリング装置５は、板面整形プレス機及び厚さ測定装置４の下流に位置し、且つ、横移動装置３の第２側に配置されており、板面整形プレス機及び厚さ測定装置４に処理された陽極板に対して耳のサイドミーリングを行う。
【００２９】
本発明の実施形態による電解用陽極板の加工ユニットにおいて、板面整形プレス機及び厚さ測定装置４を通った後の陽極板は、耳のサイドミーリング装置５又は耳のボトムミーリング装置６に選択的に搬送される。耳のサイドミーリング装置５に搬送された陽極板は、先に耳のサイドミーリングが行われる。耳のサイドミーリングをすると同時に、次の陽極板は、耳のサイドミーリングを行う必要がない場合、耳のボトムミーリング装置６に搬送され耳のボトムミーリングが行われる。このため、耳のサイドミーリングの操作が耳のボトムミーリングの操作に影響を及ぼさない。
【００３０】
耳のサイドミーリングが行われた後の陽極板は耳のボトムミーリング装置６に搬送され、耳のボトムミーリングが行われる。耳のサイドミーリングを行う必要がない陽極板は、板面整形プレス機及び厚さ測定装置４を通った後、直接に耳のボトムミーリング装置６に搬送される。通常は耳のサイドミーリングの行われる回数が多く、時間がかかるので、ユニットの効率が影響されたが、本発明の実施形態による電解用陽極板の加工ユニットでは、耳のサイドミーリングが耳のボトムミーリングに影響を及ぼさないので、ユニットの効率を向上させることができる。
【００３１】
本発明の実施形態による電解用陽極板の加工ユニットにおいて、耳のサイドミーリング装置５及び耳のボトムミーリング装置６はそれぞれ横移動装置３の第１側及び第２側に位置しており、板面整形プレス機及び厚さ測定装置４により整形及び厚さの測定が行われた後の陽極板は、耳のサイドミーリングを行う必要が無い場合には、直接に耳のボトムミーリング装置６に搬送され耳のボトムミーリングが行われるが、耳のサイドミーリングを行う必要がある場合には、耳のサイドミーリング装置５に搬送され耳のサイドミーリングが行われ、耳のサイドミーリングが完成した後に耳のボトムミーリングの位置に搬送され、耳のボトムミーリングが行われる。言い換えれば、耳のサイドミーリング装置５と耳のボトムミーリング装置６とは、加工ユニットにおいて並列され、互いに独立して操作することができ、時間を要する耳のサイドミーリングの操作が耳のボトムミーリングの操作及び陽極ユニットシステムの作業に影響を及ぼさないので、陽極ユニットの加工効率が向上される。
【００３２】
図１が示すように、本発明の一つの実施形態によると、耳のサイドミーリング装置５と耳のボトムミーリング装置６とは横方向に直交する方向において対向するようになる。これにより、耳のサイドミーリングが行われた陽極板が耳のサイドミーリング装置５から耳のボトムミーリング装置６に便利に搬送され、生産の効率が向上される。
【００３３】
図１に示すように、本発明の一つの実施形態によると、電解用陽極板の加工ユニットは、互いに直列している、陽極板を受取るための受板装置１と受板チェーンコンベヤー、板分け、耳の垂直矯正及び重量測定装置２とを更に含む。受板装置１と受板チェーンコンベヤー、板分け、耳の垂直矯正及び重量測定装置２とは横方向において板面整形プレス機及び厚さ測定装置４の上流側に設けられている。これにより、陽極板に対して最初的な加工を行うことができ、また、陽極板を１枚ずつ分けて横移動装置３に搬送して陽極板に対して更なる加工を容易に行うことができる。
【００３４】
更に、受板装置１と受板チェーンコンベヤー、板分け、耳の垂直矯正及び重量測定装置２とは、横移動装置３の上流側の端部に近接し、且つ、横移動装置３の第２側に配置されている。これにより、受板装置１と、受板チェーンコンベヤー、板分け、耳の垂直矯正及び重量測定装置２と、耳のサイドミーリング装置５とが同側に位置し、第１側において予め操作空間を確保し、加工ユニット全体の加工過程における操作を容易に行うことができる。
【００３５】
図１に示すように、本発明の一つの実施形態によると、電解用陽極板の加工ユニットは、横方向において耳のボトムミーリング装置６及び耳のサイドミーリング装置５の下流側に配置されている、廃板を除去するための廃板除去装置９を更に含むことができる。これにより、板面整形プレス機及び厚さ測定装置４により選別された標準を満たさない廃板は、廃板除去装置９により加工ユニットの外部に搬送される。
【００３６】
廃板除去装置９は横移動装置３の下流側の端部に近接し、且つ、横移動装置３の第２側に配置されることが好ましい。これにより、第１側に予め空間を確保することができる。
【００３７】
図１に示すように、本発明の一つの実施形態によると、電解用陽極板の加工ユニットは、横方向に直交する方向において耳のボトムミーリング装置６の下流に順次に配置されている斜めリフトアップ装置７と板配列用チェーンコンベヤー及び板配列用フレーム８とを更に含むことができる。従って、耳のボトムミーリング装置６により耳のボトムミーリングが行われた陽極板に対して、加工ユニットから搬出されるまで、搬送及び配列を行うことができる。
【００３８】
加工された陽極板を便利に操作するように、斜めリフトアップ装置７と板配列用チェーンコンベヤー及び板配列用フレーム８とは、横移動装置３の第１側に配置されることが好ましい。
【００３９】
本発明の実施形態による電解用陽極板の加工ユニットの他の構成と操作が公知のものであるので詳細の説明を省略する。
【００４０】
以下、図１を参照しながら本発明の実施形態による電解用陽極板の加工ユニットの作業過程を説明する。
【００４１】
先ず、加工しようとする陽極板は、受板装置１と受板チェーンコンベヤー、板分け、耳の垂直矯正及び重量測定装置２とを通って、板分け、耳の垂直矯正及び重量の測定が行われた後、横移動装置３に搬送される。その後、横移動装置３により陽極板が板面整形プレス機及び厚さ測定装置４に搬送され、陽極板は、整形及び厚さの測定が行われ、且つ、整形後の陽極板の厚さに基づいて不合格陽極板、耳のサイドミーリングを行う必要がない陽極板、及び耳のサイドミーリングを行う必要がある陽極板という３種類に区分される。区分された後、不合格陽極板は、廃板除去装置９に搬送され除去され、耳のサイドミーリングを行う必要がない陽極板は、直接に耳のボトムミーリング装置６に搬送され耳のボトムミーリングが行われ、耳のサイドミーリングを行う必要がある陽極板は、耳のサイドミーリング装置５に搬送され耳のサイドミーリングを行われ、耳のサイドミーリングが行われた後に陽極板が耳のボトムミーリング装置６に搬送され、耳のボトムミーリングが行われる。最後に、耳のボトムミーリングが行われた陽極板は、斜めリフトアップ装置７と板配列用チェーンコンベヤー及び板配列用フレーム８とを通って、改めて配列され送出される。
【００４２】
図２は、本発明の実施形態における電解用陽極板の加工方法のフローチャートである。本発明の実施形態における電解用陽極板の加工方法は、以下のステップを含む。
【００４３】
ステップＳ１０：横移動装置により横方向に陽極板を搬送する。
【００４４】
ステップＳ２０：横方向に搬送されている前記陽極板に対して整形及び厚さの測定を行う。
【００４５】
ステップＳ３０：整形及び厚さの測定が行われた後の陽極板に対して耳のサイドミーリングを行う必要があるか否かを判断する。
【００４６】
ステップＳ４０：耳のサイドミーリングを行う必要がないと判断した場合、整形及び厚さの測定が行われた後の陽極板に対して耳のボトムミーリングを行う。
【００４７】
ステップＳ５０：耳のサイドミーリングを行う必要があると判断した場合、整形及び厚さの測定が行われた後の陽極板に対して先に耳のサイドミーリングを行い、その後、耳のボトムミーリングを行う。
【００４８】
本発明の実施形態における電解用陽極板の加工方法によると、耳のサイドミーリングの操作が耳のボトムミーリングの操作及び陽極ユニットシステムの作業に影響を及ぼさないので、陽極ユニットの加工効率が向上される。
【００４９】
本発明の一実施形態によると、前記加工方法は、整形及び厚さの測定が行われた後の陽極板に対して耳のサイドミーリングを行う必要があるか否かを判断する前に、整形及び厚さの測定が行われた後の陽極板が合格であるか否かを判断し、不合格と判断した場合、不合格陽極板を除去することを更に含む。従って、合格である陽極板と不合格陽極板とを区分し、合格である陽極板と不合格陽極板とをそれぞれ送出して、歩留まり率を向上させることができる。
【００５０】
本発明の一つの実施形態によると、前記加工方法は、耳のボトムミーリングが行われた後の陽極板に対して斜めリフトアップ装置と板配列用チェーンコンベヤー及び板配列用フレームとにより板の配列を行うことを更に含む。従って、加工された陽極板に対して後段の処理を便利に行うことができる。
【００５１】
本発明の実施形態における加工方法によると、陽極板の加工効率を顕著に向上することができる。本発明の実施形態による加工方法の他のステップが公知のものであるので、詳細の説明を省略する。
【００５２】
以上は本発明の実施形態を示して記述したが、上記の実施形態は、本発明を制限するように解釈されることができず、本発明の要旨および範囲を逸脱しない範囲で実施形態における変更、入れ替えおよび修正がなされることができることを当業者によって認識された。本発明の技術範囲は、特許請求の範囲及びその均等構成を基準にする。
【図１】
0005819541.tif 000002
【図２】
0005819541.tif 000003